(57)【要約】【課題】調整機器を用いずに、端子台に対して設定された対象とする信号を示す情報を表示可能とする。【解決手段】複数種類の信号の入出力に対応可能な端子台１０１と、スイッチ１０２と、光を発光するＬＥＤ１０３と、スイッチ１０２に対する操作に基づいて、端子台１０１に対して設定された対象とする信号を示す情報の表示が要求されたかを判定する要求判定部１０５と、要求判定部１０５により情報の表示が要求されたと判定された場合に、ＬＥＤ１０３を制御することで、端子台１０１に対して設定された対象とする信号を示す情報を表示する表示制御部１０６とを備えた。【選択図】図１
2019079332.tif 000002
【特許請求の範囲】
【請求項１】
複数種類の信号の入出力に対応可能な端子台と、
スイッチと、
光を発光する発光素子と、
前記スイッチに対する操作に基づいて、前記端子台に対して設定された対象とする信号を示す情報の表示が要求されたかを判定する要求判定部と、
前記要求判定部により情報の表示が要求されたと判定された場合に、前記発光素子を制御することで、前記端子台に対して設定された対象とする信号が流れる方向及び当該信号の種類を示す情報を表示する表示制御部と
を備えたＩ／Ｏモジュール。
【請求項２】
前記表示制御部は、前記発光素子の発光時間及び発光回数を制御することで、前記端子台に対して設定された対象とする信号が流れる方向及び当該信号の種類を示す情報を表示する
ことを特徴とする請求項１記載のＩ／Ｏモジュール。
【請求項３】
前記発光素子は複数設けられ、
前記表示制御部は、前記複数の発光素子のうちの１つの発光素子を制御することで、前記端子台に対して設定された対象とする信号が流れる方向を示す情報を表示し、当該複数の発光素子のうちの他の１つの発光素子を制御することで、当該信号の種類を示す情報を表示する
ことを特徴とする請求項１記載のＩ／Ｏモジュール。
【請求項４】
前記発光素子は、複数色の光を発光可能であり、
前記表示制御部は、前記発光素子の発光色を制御することで、前記端子台に対して設定された対象とする信号が流れる方向及び当該信号の種類を示す情報を表示する
ことを特徴とする請求項１記載のＩ／Ｏモジュール。
【発明の詳細な説明】
【技術分野】
【０００１】
この発明は、複数種類の信号の入出力に対応可能なＩ／Ｏモジュールに関する。
【背景技術】
【０００２】
ユニバーサルＩ／Ｏモジュール（以下、Ｉ／Ｏモジュールと称す）は、外部機器が接続される端子台に対する設定を変えることで、複数種類の信号の入出力に対応可能な機器である（例えば特許文献１参照）。
【先行技術文献】
【特許文献】
【０００３】
【特許文献１】特開２０１５−０８７９７５号公報
【発明の概要】
【発明が解決しようとする課題】
【０００４】
しかしながら、端子台に対する設定は、Ｉ／Ｏモジュールとは別体である調整機器を用いたソフトウェア的な設定であり、調整機器が無いと設定を確認できない。一方、現場では調整機器が無い場合もあり、調整機器を用いずに設定を確認したいという現場技術者の強い要望がある。
これに対し、Ｉ／Ｏモジュールの出荷時に、事前に設定した情報を示したシールを本体に貼ることは可能である。しかしながら、この場合、現場で設定変更を行った場合に対応できない。一方で、現場で、設定変更した情報を示したシールを本体に貼り直すことは可能であるが、作業漏れの可能性がある。また、多くの情報を本体に表示しても混乱を招くため、必要なときにのみ設定を確認可能な方法が求められている。
【０００５】
この発明は、上記のような課題を解決するためになされたもので、調整機器を用いずに、端子台に対して設定された対象とする信号を示す情報を表示可能とするＩ／Ｏモジュールを提供することを目的としている。
【課題を解決するための手段】
【０００６】
この発明に係るＩ／Ｏモジュールは、複数種類の信号の入出力に対応可能な端子台と、スイッチと、光を発光する発光素子と、スイッチに対する操作に基づいて、端子台に対して設定された対象とする信号を示す情報の表示が要求されたかを判定する要求判定部と、要求判定部により情報の表示が要求されたと判定された場合に、発光素子を制御することで、端子台に対して設定された対象とする信号が流れる方向及び当該信号の種類を示す情報を表示する表示制御部とを備えたことを特徴とする。
【発明の効果】
【０００７】
この発明によれば、上記のように構成したので、調整機器を用いずに、端子台に対して設定された対象とする信号を示す情報が表示可能となる。
【図面の簡単な説明】
【０００８】
【図１】この発明の実施の形態１に係るＩ／Ｏモジュールの構成例を示す外観図である。
【図２】この発明の実施の形態１に係るＩ／Ｏモジュールの構成例を示すブロック図である。
【図３】この発明の実施の形態１における記憶部に記憶されているＬＥＤの制御方法を示す情報の一例を示す図である。
【発明を実施するための形態】
【０００９】
以下、この発明の実施の形態について図面を参照しながら詳細に説明する。
実施の形態１．
図１，２はこの発明の実施の形態１に係るＩ／Ｏモジュール１の構成例を示す図である。なお図２では、後述する端子台１０１，１０１ｂ及びＬＥＤ１０３ｂの図示を省略し、また、後述するＬＥＤ１０３を１つのみ図示している。
Ｉ／Ｏモジュール１は、図１に示すように、外部機器が接続される端子台１０１を有し、当該外部機器との間で信号を入出力する機器である。端子台１０１は、複数種類の信号の入出力に対応可能であり、図１では３個の端子台１０１を一組として用いた場合を示している。端子台１０１に対する対象とする信号の設定は、Ｉ／Ｏモジュール１とは別体である調整機器によりソフトウェア的に実施される。また図１に示すＩ／Ｏモジュール１は、上記端子台１０１の他に、事前に決められた特定の信号の入出力を行う専用（例えばＤＩモジュール又はＤＩＯモジュール用）の端子台１０１ｂも有している。以下では、Ｉ／Ｏモジュール１が有する機能のうち、端子台１０１に対して設定された対象とする信号を示す情報の表示に関する機能についてのみ説明を行う。このＩ／Ｏモジュール１は、図１，２に示すように、スイッチ１０２、ＬＥＤ（発光素子）１０３、記憶部１０４、要求判定部１０５及び表示制御部１０６を備えている。
【００１０】
スイッチ１０２は、ユーザが端子台１０１に対して設定された対象とする信号を示す情報を確認する際に、ユーザにより押下（操作）される部材である。
このスイッチ１０２は、従来のＩ／Ｏモジュールでも使用されている既存のスイッチを利用することができる。例えば、スイッチ１０２として、Ｉ／Ｏモジュール１の設定をリセットする際にユーザにより押下されるリセットスイッチを用いることができる。
【００１１】
ＬＥＤ１０３は、光を発光する部材である。ここでは、ＬＥＤ１０３は、単色の光を発光するものとする。
このＬＥＤ１０３は、従来のＩ／Ｏモジュールでも使用されている既存のＬＥＤを利用することができる。例えば、ＬＥＤ１０３として、端子台１０１に接続された外部機器との間での信号の入出力状態を表示するＬＥＤを用いることができる。図１では、一組の端子台１０１に対して２個のＬＥＤ１０３が設けられた場合を示している。
また図１では、端子台１０１ｂに対してもＬＥＤ（発光素子）１０３ｂが設けられている。
【００１２】
記憶部１０４は、端子台１０１に対して設定された対象とする信号を示す情報の表示に関する情報を記憶する。具体的には、記憶部１０４は、端子台１０１に対して設定された対象とする信号を示す情報を記憶する。上記信号を示す情報は、当該信号が流れる方向及び当該信号の種類を示す信号である。信号の方向としては、入力及び出力が挙げられる。また、信号の種類としては、デジタル、電流、電圧及びＰｔ１００等が挙げられる。なお、記憶部１０４は、調整機器により端子台１０１に対する設定が変更される度に、上記信号を示す情報を更新する。また、記憶部１０４は、端子台１０１に対して設定された対象とする信号を示す情報を表示するための、ＬＥＤ１０３の制御方法を示す情報も記憶する。この記憶部１０４は、ＨＤＤ、ＤＶＤ又はメモリ等によって構成される。
【００１３】
なお図１では、記憶部１０４がＩ／Ｏモジュール１の内部に設けられた場合を示したが、これに限らず、記憶部１０４がＩ／Ｏモジュール１の外部に設けられてもよい。
【００１４】
要求判定部１０５は、スイッチ１０２に対する操作に基づいて、端子台１０１に対して設定された対象とする信号を示す情報の表示が要求されたかを判定する。ここで、スイッチ１０２としてリセットスイッチが利用されている場合には、要求判定部１０５は、スイッチ１０２に対する押下のパターンにより、Ｉ／Ｏモジュール１の設定のリセットが要求されたか、又は上記情報の表示が要求されたかを識別する。なお、スイッチ１０２に対する押下のパターンを示す情報は記憶部１０４に記憶される。
【００１５】
表示制御部１０６は、要求判定部１０５により情報の表示が要求されたと判定された場合に、記憶部１０４に記憶された情報に基づいてＬＥＤ１０３を制御することで、端子台１０１に対して設定された対象とする信号を示す情報を表示する。
【００１６】
なお、要求判定部１０５及び表示制御部１０６は、システムＬＳＩ等の処理回路、又はメモリ等に記憶されたプログラムを実行するＣＰＵ等により実現される。
【００１７】
次に、上記のように構成されたＩ／Ｏモジュール１の動作例について説明する。
なお、記憶部１０４は、端子台１０１に対して設定された対象とする信号を示す情報の表示に関する情報を記憶している。
【００１８】
図３は記憶部１０４に記憶されているＬＥＤ１０３の制御方法を示す情報の一例を示す図である。図３では、１個のＬＥＤ１０３を用いて上記信号を示す情報を表示するための制御方法を示している。この図３では、信号が流れる方向及び信号の種類をＬＥＤ１０３の点滅（短表示）で表現し、区切りをＬＥＤ１０３の点灯（長表示）で表現する場合を示している。また、信号が流れる方向を表示する前には１つの区切りを表示するものとし、信号の種類を表示する前には２つの区切りを表示するものとしている。
【００１９】
そして、ユーザによりスイッチ１０２が押下されると、要求判定部１０５は、スイッチ１０２に対する操作に基づいて、端子台１０１に対して設定された対象とする信号を示す情報の表示が要求されたかを判定する。そして、要求判定部１０５により情報の表示が要求されたと判定されると、表示制御部１０６は、記憶部１０４に記憶された情報に基づいてＬＥＤ１０３を制御することで、端子台１０１に対して設定された対象とする信号を示す情報（当該信号が流れる方向及び当該信号の種類を示す情報）を表示する。
【００２０】
例えば、端子台１０１に対して設定された対象とする信号が「Ｐｔ１００入力」であった場合、表示制御部１０６は、例えば図３に示す情報に基づいてＬＥＤ１０３の発光時間及び発光回数を制御して、ＬＥＤ１０３を「−・−−・・・」と発光させる。これにより、ユーザは、調整機器を用いることなく、端子台１０１に対して設定された対象とする信号を示す情報を確認できる。
また、表示制御部１０６は、上記の情報の表示（ＬＥＤ１０３の発光）を、１回だけ行ってもよいし、一定時間（例えば１０秒）内で複数回繰り返し行ってもよいし、スイッチ１０２を用いて停止が要求されるまで複数回繰り返し行ってもよい。また、表示制御部１０６は、情報の表示を複数回繰り返し行う場合には、その表示回数又は表示の時間間隔を可変としてもよい。
また、表示制御部１０６は、Ｉ／Ｏモジュール１に信号の入出力が複数ある場合、複数のＬＥＤ１０３が設けられている場合には当該複数のＬＥＤ１０３を用いて複数同時に情報の表示を行ってもよいし、単一のＬＥＤ１０３が設けられている場合には当該単一のＬＥＤ１０３を用いて順番に情報の表示を行ってもよい。
【００２１】
なお上記では、表示制御部１０６が、１個のＬＥＤ１０３を制御することで、端子台１０１に対して設定された対象とする信号を示す情報を表示する場合を示した。
一方、Ｉ／Ｏモジュール１では、通常、一組の端子台１０１に対して複数のＬＥＤ１０３（図１では２個）が設けられている。そこで、表示制御部１０６は、複数のＬＥＤ１０３のうちの２個のＬＥＤ１０３を用いて、端子台１０１に対して設定された対象とする信号を示す情報を表示してもよい。具体的には、表示制御部１０６は、複数のＬＥＤ１０３のうちの１つのＬＥＤ１０３を制御することで、端子台１０１に対して設定された対象とする信号が流れる方向を示す情報を表示し、当該複数のＬＥＤ１０３のうちの他の１つのＬＥＤ１０３を制御することで、当該信号の種類を示す情報を表示する。
【００２２】
また上記では、単色の光を発光するＬＥＤ１０３を用いた場合を示した。しかしながら、これに限らず、複数色（カラー）の光を発光可能なＬＥＤ１０３を用いてもよい。この場合、表示制御部１０６は、ＬＥＤ１０３の発光色を制御することで、端子台１０１に対して設定された対象とする信号を示す情報を表示してもよい。
【００２３】
以上のように、この実施の形態１によれば、複数種類の信号の入出力に対応可能な端子台１０１と、スイッチ１０２と、光を発光するＬＥＤ１０３と、スイッチ１０２に対する操作に基づいて、端子台１０１に対して設定された対象とする信号を示す情報の表示が要求されたかを判定する要求判定部１０５と、要求判定部１０５により情報の表示が要求されたと判定された場合に、ＬＥＤ１０３を制御することで、端子台１０１に対して設定された対象とする信号を示す情報（当該信号が流れる方向及び当該信号の種類を示す情報）を表示する表示制御部１０６とを備えたので、調整機器を用いずに、端子台１０１に対して設定された対象とする信号を示す情報が表示可能となる。
【００２４】
なお、本願発明はその発明の範囲内において、実施の形態の任意の構成要素の変形、もしくは実施の形態の任意の構成要素の省略が可能である。
【符号の説明】
【００２５】
１  Ｉ／Ｏモジュール
１０１，１０１ｂ  端子台
１０２  スイッチ
１０３，１０３ｂ  ＬＥＤ（発光素子）
１０４  記憶部
１０５  要求判定部
１０６  表示制御部
【図１】
2019079332.tif 000003
【図２】
2019079332.tif 000004
【図３】
2019079332.tif 000005